(57)【特許請求の範囲】
【請求項１】
情報を表示する表示面を含む表示手段と、
外部のＩＣタグと非接触で通信を行うアンテナ部を含み、前記ＩＣタグが記憶しているタグ情報を入力する入力手段と、
前記アンテナ部の前記表示面に対する位置に基づき指示された情報の検知、及び／又は、前記タグ情報に基づき前記表示手段が表示する情報の特定を行う情報処理手段とを備える表示・入力装置であって、
前記アンテナ部は、前記表示面に対向する第１及び第２の面において、前記表示面に投射される光の進行方向に対して一部又は全部が重複する位置に設けられる、前記光が透過可能な第１及び第２のアンテナを備え、
前記第１及び第２のアンテナは、前記光の進行方向に対して重複するそれぞれの領域において対応する部分での透過率の積が略一様となるように設けられており、
前記第１のアンテナは、前記光の進行方向に対して前記第２のアンテナと重複する領域において、外縁に向けて網点面積率が低くなるグラデーションとなるように形成され、
前記第２のアンテナは、前記第１のアンテナを取り囲む帯形状に形成され、前記光の進行方向に対して前記第１の電極部の外縁領域と重複する領域において、外縁に向けて網点面積率が高くなるグラデーションとなるように形成されていること、
を特徴とする表示・入力装置。
【請求項２】
請求項１に記載の表示・入力装置において、
前記第１及び第２のアンテナは、前記第１及び第２の面に導電性材料を含むインキで印刷を施すことによって設けられ、前記光の進行方向に対して重複する領域において、ネガティブ及びポジティブの関係となるように形成されていること、
を特徴とする表示・入力装置。
【請求項３】
請求項１又は請求項２に記載の表示・入力装置において、
前記第１及び第２のアンテナは、プロジェクションディスプレイのレンチキュラーレンズシートの表面若しくは裏面、フレネルレンズシートの表面若しくは裏面、又は、これらの面に略平行に設けられているシートの表面若しくは裏面、のうちいずれか異なる２つの面にそれぞれ設けられていること、
を特徴とする表示・入力装置。
【請求項４】
光が透過可能な基材と、
前記基材の表面及び裏面の対向する位置に、対応する部分での透過率の積が略一様となるように設けられている光が透過可能な第１及び第２の電極とを備え、
前記第１の電極は、外縁に向けて網点面積率が低くなるグラデーションとなるように形成され、
前記第２の電極は、中央に向けて網点面積率が低くなるグラデーションとなるように形成されていること、
を特徴とする透明電極板。
【請求項５】
請求項４に記載の透明電極板において、
前記第１及び第２の電極は、ポジティブ及びネガティブの関係となるように導電性材料を含むインキで印刷を施すことによって形成されていること、
を特徴とする透明電極板。
【発明の詳細な説明】
【０００１】
【発明の属する技術分野】
本発明は、表示を行うとともにＩＣタグから情報を入力する表示・入力装置及び透明電極板に関するものである。
【０００２】
【従来の技術】
従来は、商品の販売促進は、コンビニエンスストアのレジのディスプレイ、街頭、駅構内のポスター、電飾看板、その他の広告看板等のマスメディアを利用することによって行っていた。
一方、コンサート、スポーツ観戦、旅行等の各種チケット等の商品を予約、購入等、その他の商取引を行うためには、プレイガイド、コンビニエンスストア等に出向く、又は、パーソナルコンピュータ、携帯電話、ＰＨＳ等でインターネットに接続して所定の手続きを行わなければならなかった。
【０００３】
【発明が解決しようとする課題】
しかし、コンビニエンスストアのレジ、チケット予約販売端末等のディスプレイは、サイズが小さく、販促効果があまり期待できず、また、商取引を行う場合には、処理速度の遅いレジ、チケット予約販売端末等に各種データを入力しなければならず、お客様に煩わしさを感じさせるという問題があった。
更に、広告看板は、固定画像を表示するのみであり、広告できる情報量が限られるとともに、観者の興味を惹くことができない問題があった。
更にまた、広告看板による販売促進によって、購入希望等の商取引意志を生じさせても、その場で購入できず、購入できる場所、手段が限られているため、忘却、煩わしさ等によって販売促進活動に無駄を生じ、販促効果の向上を妨げる一因となっていた。
更にまた、広告看板と販売との結びつき、つまり、広告看板の販促効果を知ることができないという問題があった。
【０００４】
本件出願人は、容易に商品等の取引をすることが可能であって、販促効果の測定及び向上を図ることができる表示・入力装置を提案している。
図１２は、この表示・入力装置１０−６を説明する図である。図１２（ａ）は表示部１６を説明する図、図１２（ｂ）はアンテナ部１１２−６を説明する図である。
表示・入力装置１０−６は、表示部１６−６、アンテナ部１１２−６等を備えている。
図１２（ａ）に示すように、表示部１６−６は、商品、役務、カタログ、試供品等の無料提供物等、掲載主の業務に寄与する商品等に関する広告の情報である広告情報を表示面１６４ｆに表示する出力装置であり、光源であるＣＲＴ、ＬＣＤ、ＤＬＰ等のプロジェクター１６１からの光をミラー１６２で反射させ、フレネルレンズシート１６３を介して、レンチキュラーレンズシート１６４へ投射することによって画像を表示するプロジェクションディスプレイである。
【０００５】
図１２（ｂ）に示すように、透明電極である第１及び第２アンテナ１１２ａ−６，１１２ｂ−６から構成されるアンテナ部１１２−６は、表示部１６−６のレンチキュラーレンズシート１６４及びフレネルレンズシート１６３間に表示面１６４ｆに対向する面上に形成されている。アンテナ部１１２−６は、外部と非接触で通信を行い、情報を入力する（後述する図４参照）。
表示面１６４ｆに表示された商品等の情報に興味がある利用者は、会員証であるＩＣタグ等を表示面１６４ｆに翳すことによって、表示・入力装置１０−６へ情報を入力し、商品等の取引を行う。
しかし、第１及び第２アンテナ１１２ａ−６，１１２ｂ−６は、透明電極であるといっても、透過率を１００％とすることはできず、第１及び第２アンテナ１１２ａ−６，１１２ｂ−６によって表示面１６４ｆに投射される光が弱められるため、表示される情報に影響を及ぼし、利用者に不快感を与える可能性があった。
【０００６】
本発明の課題は、アンテナが表示に与える影響を低減させることが可能な表示・入力装置及び透明電極板を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、情報を表示する表示面（１６４ｆ）を含む表示手段（１６，１６−２）と、外部のＩＣタグ（２０）と非接触で通信を行うアンテナ部（１１２、１１２−２，１２２−２，１３２−２，１４２−２）を含み、前記ＩＣタグが記憶しているタグ情報を入力する入力手段（１１、１１−２，１２−２，１３−２，１４−２）と、前記アンテナ部の前記表示面に対する位置に基づき指示された情報の検知、及び／又は、前記タグ情報に基づき前記表示手段が表示する情報の特定を行う情報処理手段（１５，１５−２）とを備える表示・入力装置であって、前記アンテナ部は、前記表示面に対向する第１及び第２の面（１６５ｆ，１６５ｂ）において、前記表示面に投射される光の進行方向に対して一部又は全部が重複する位置に設けられる、前記光が透過可能な第１及び第２のアンテナ（１１２ａ，１１２ｂ、１１２ａ−２，１１２ｂ−２，１２２ａ−２，１２２ｂ−２，１３２ａ−２，１３２ｂ−２，１４２ａ−２，１４２ｂ−２）を備え、前記第１及び第２のアンテナは、前記光の進行方向に対して重複するそれぞれの領域において対応する部分での透過率の積が略一様となるように設けられており、前記第１のアンテナは、前記光の進行方向に対して前記第２のアンテナと重複する領域において、外縁に向けて網点面積率が低くなるグラデーションとなるように形成され、前記第２のアンテナは、前記第１のアンテナを取り囲む帯形状に形成され、前記光の進行方向に対して前記第１の電極部の外縁領域と重複する領域において、外縁に向けて網点面積率が高くなるグラデーションとなるように形成されていること、を特徴とする表示・入力装置（１０，１０−２）である。
【０００８】
請求項２の発明は、請求項１に記載の表示・入力装置において、前記第１及び第２のアンテナは、前記第１及び第２の面に導電性材料を含むインキで印刷を施すことによって設けられ、前記光の進行方向に対して重複する領域において、ネガティブ及びポジティブの関係となるように形成されていること、を特徴とする表示・入力装置（１０，１０−２）である。
【００１０】
請求項３の発明は、請求項１又は請求項２に記載の表示・入力装置において、前記第１及び第２のアンテナは、プロジェクションディスプレイのレンチキュラーレンズシートの表面（１６４ｆ）若しくは裏面（１６４ｂ）、フレネルレンズシートの表面（１６３ｆ）若しくは裏面（１６３ｂ）、又は、これらの面に略平行に設けられているシートの表面（１６５ｆ）若しくは裏面（１６５ｂ）、のうちいずれか異なる２つの面にそれぞれ設けられていること、を特徴とする表示・入力装置（１０，１０−２）である。
【００１１】
請求項４の発明は、光が透過可能な基材（１６５）と、前記基材の表面（１６５ｆ）及び裏面（１６５ｂ）の対向する位置に、対応する部分での透過率の積が略一様となるように設けられている光が透過可能な第１及び第２の電極（１１２ａ，１１２ｂ、１１２ａ−２，１１２ｂ−２，１２２ａ−２，１２２ｂ−２，１３２ａ−２，１３２ｂ−２，１４２ａ−２，１４２ｂ−２）とを備え、前記第１の電極は、外縁に向けて網点面積率が低くなるグラデーションとなるように形成され、前記第２の電極は、中央に向けて網点面積率が低くなるグラデーションとなるように形成されていること、を特徴とする透明電極板である。
【００１２】
請求項５の発明は、請求項４に記載の透明電極板において、前記第１及び第２の電極は、ポジティブ及びネガティブの関係となるように導電性材料を含むインキで印刷を施すことによって形成されていること、を特徴とする透明電極板である。
【００１４】
【発明の実施の形態】
以下、図面等を参照しながら、本発明の実施の形態について、更に詳しく説明する。
（第１実施形態）
図１は、本発明による表示・入力装置及び透明電極板の第１実施形態を示すブロック図である。
このシステムは、表示・入力装置１０、ＩＣタグ２０等を備えている。
【００１５】
表示・入力装置１０は、街角、駅構内、コンビニエンスストア、ショッピングセンタ、ホテル等の人目に付きやすく、手の届きやすい場所に設置されている。表示・入力装置１０は、読取部１１、制御部１５、表示部１６、記憶部１８等を備えている。
【００１６】
図２は、表示部及び読取部を説明する図である。図２（ａ）は表示部を説明する図、図２（ｂ）は読取部を説明する図、図２（ｃ）は表示面を説明する図である。
表示部１６は、広告情報を表示面１６４ｆに表示する出力装置である。広告情報の内容は、設置場所、時間帯等によって異なり、制御部１５によって制御されている。
図２（ａ）に示すように、表示部１６は、ミラー１６２及びフレネルレンズシート１６３間にアンテナシート１６５を備えている。アンテナシート１６５は、厚さ１ｍｍ以上（好ましくは５ｍｍ以上）のガラス、アクリル、ポリカーボネート等の光が透過可能な透明な板であり、その表面及び裏面には、第１アンテナ１１２ａ及び第２アンテナ１１２ｂが形成されている。
【００１７】
図２（ｂ）に示すように、読取部１１は、送受信部１１１と、第１アンテナ１１２ａ及び第２アンテナ１１２ｂを含むアンテナ部１１２とを備えている。アンテナ部１１２は、一定距離内にあるＩＣタグ２０と非接触で通信を行うことによってＩＣタグ２０に記憶されている情報であるタグ情報を読み取る（通信の原理については、後述する図４参照）。第１アンテナ１１２ａは、アンテナシート１６５の表面１６５ｆの向かって右下に形成されている。第２アンテナ１１２ｂは、裏面１６５ｂの第１アンテナ１１２ａと対向する位置に形成されている。
図２（ｃ）に示すように、アンテナ部１１２は、利用者２が右手にＩＣタグ２０を持った状態で翳しやすく、利用者の意識が届きにくく、表示に影響を与えにくい表示面１６４ｆの隅に近い領域１６４ｆ−４と対向する位置に形成されている。第１アンテナ１１２ａ及び第２アンテナ１１２ｂは、ＩＴＯ、ＳｎＯ2 等の導電性材料を含むインクを用いて印刷をアンテナシート１６５の表面１６５ｆ及び裏面１６５ｂに施すことによって形成された透過率の高い透明電極である。アンテナシート１６５及びアンテナ部１１２は、透明電極板を構成する。
【００１８】
図３は、アンテナ部を説明する図であり、図３（ａ）及び（ｂ）は第１及び第２アンテナ１１２ａ，１１２ｂの表面図である。
図３（ａ）に示すように、第１アンテナ部１１２ａは、方形であって中央の網点面積率が低く、透過率の高い領域からその外縁にむけて網点面積率が低くなるグラデーションとなるように形成されている。網点面積率は、エッチング、印刷等によってインクが塗布された網点の面積が占める割合である。
図３（ｂ）に示すように、第２アンテナ１１２ｂは、第１アンテナ１１２ａを取り囲む帯形状であって、外縁に向けて網点面積率が高くなるグラデーションとなるように形成されている。
第１及び第２アンテナ１１２ａ，１１２ｂは、対応する部分の透過率の積が略一様となるように、対応する部分がポジティブ及びネガティブの関係となるように設けられている。
【００１９】
図１に示すように、記憶部１８は、広告情報データベース１８１（以下、「データベース」を「ＤＢ」という。）を備えている。広告情報ＤＢ１８１は、利用者属性別に広告情報を結び付けて格納している。利用者属性とは、利用者２の趣味、職業等、特徴、性質に基づいて分類された利用者２の類別である。例えば、「旅行」の利用者属性であれば、旅行の販促画像の情報が結び付けられている。広告情報は、「ここに会員証（ＩＣタグ２０）を近づけてください」等、ＩＣタグ２０が近づけられた場合に通信が可能となる位置を示す入力位置情報Ｄｐ５を含んでいる。入力位置情報Ｄｐ５は、領域１６４ｆ−４に表示される［図２（ｃ）参照］。
制御部１５は、表示部１６、記憶部１８、読取部１１等に接続され、各部を統括制御する。制御部１５は、読取部１１、表示部１６及び記憶部１８等に接続され、ＩＣタグ２０から入力したタグ情報に含まれる利用者属性情報を広告情報ＤＢ１８１で検索することによって広告情報を特定し、表示部１６に表示する。
【００２０】
図４は、ＩＣタグを説明する図である。図４（ａ）は表面図、図４（ｂ）はＩＣタグ及び読取部との通信を説明する回路図である。
図４（ａ）に示すように、ＩＣタグ２０は、一般にＲＦＩＤ（Ｒａｄｉｏ  Ｆｒｅｑｕｅｎｃｙ  Ｉｄｅｎｔｉｆｉｃａｔｉｏｎ）タグとよばれているものであり、利用者登録を行った利用者２に配布される会員証である。ＩＣタグ２０は、紙材等である基材２３の表面に制御部２１１及び記憶部２１２を有するＩＣ２１と、第１及び第２アンテナ２２１、２２２を有する通信部２２とを備え、基材２３の裏面に接着層を備えている。通信部２２は、基材２３の表面に導電性のカーボンインキで印刷を施すことによって形成されている。ＩＣタグ２０は、接着層を介して利用者２が好きなものに貼付することができ、本実施形態では、携帯端末２５の裏面側に貼付されている。
【００２１】
図４（ｂ）に示すように、ＩＣタグ２０は、一方のアンテナ２２２を指で触れることによって接地し、他方のアンテナ２２１が読取部１１の一方のアンテナに対してコンデンサの極板として機能し、読取部１１と一つの回路を形成する静電結合方式（容量プレートを対向配置させ、静電誘導によって交信する方式）によって通信を行う。記憶部２１２は、ＩＣタグ２０の所有者である利用者２を識別する符号である利用者ＩＤ、利用者属性情報、アプリケーション等を記憶している。制御部２１１は、表示・入力装置１０から入力した命令に従って、アプリケーションを実行する。
【００２２】
図５は、本発明による表示・入力装置及び透明電極板の第１実施形態を示すフローチャートである。
制御部１５は、広告情報を記憶部１８から無作為に読み出し、表示部１６へ表示する（Ｓ１０１、Ｓ１０２）。
制御部１５は、利用者２がＩＣタグ２０を領域１６４ｆ−４に近づけ、読取部１１からタグ情報が入力された場合には、広告情報ＤＢ１８１で検索を行うことによって利用者属性情報に対応する広告情報を特定し（Ｓ１０２，Ｓ１０３）、他の広告情報の表示を終了し、表示部１６へ表示する（Ｓ１０１）。
【００２３】
このように、第１実施形態によれば、第１及び第２アンテナ１１２ａ，１１２ｂは、それぞれ対応する部分の透過率の積が略一様となるように、対応する部分がポジティブ及びネガティブの関係となるように逆のグラデーションでアンテナシート１６５に形成されているため、第１アンテナ１１２ａ又は第２アンテナ１１２ｂを透過する光の透過率を一定とすることによって、アンテナ部１１２が表示面１６４ｆに表示される情報に与える影響を低減させることが可能となった。また、第１アンテナ１１２ａ及び第２アンテナ１１２ｂをアンテナシート１６５に印刷する場合に、多少の位置ずれがあっても透過率のずれは少ないため、位置ずれの許容量を増大することが可能となった。
【００２４】
更に、アンテナシート１６５の両面にアンテナ部１１２を形成するため、アンテナシート１６５の幅によって第１アンテナ１１２ａ及び第２アンテナ１１２ｂ間の距離を長くし、電位差を拡げることができ、通信精度を向上させることが可能となった。特に、第１アンテナ１１２ａ及び第２アンテナ１１２ｂは、グラデーションで形成され、網点面積率が低い領域は、導電率が低く、アンテナとして機能しないため、第１アンテナ１１２ａ及び第２アンテナ１１２ｂ間の距離が長くなり、通信精度を一層向上させることが可能となった。
更にまた、アンテナ部１１２は、レンチキュラーレンズシート１６４及びフレネルレンズシート１６３に投射される前に光が透過するアンテナシート１６５に形成されているため、表示面１６４ｆ等に形成される場合に比べ、アンテナ部１１２が表示面１６４ｆに表示される情報に与える影響をより一層低減させることが可能となった。
更にまた、表示・入力装置１０は、利用者２の属性情報に合わせた広告情報を特定し、表示部１６に表示するため、利用者２に適した情報を提供し、興味を惹くことによって、販促効果を向上させることが可能となった。
【００２５】
（第２実施形態）
図６は、本発明による表示・入力装置及び電極板の第２実施形態を示すブロック図である。
このシステムは、表示・入力装置１０−２、ＩＣタグ２０、携帯端末２５、装置管理サーバ３０及びチケット販売管理サーバ４０等を備え、表示・入力装置１０−２、携帯端末２５、装置管理サーバ３０及びチケット販売管理サーバ４０は、電話回線、光ケーブルその他の有線、又は、赤外線その他の無線の通信回線５０を介して互いに接続されている。
表示・入力装置１０−２は、制御部１５−２、表示部１６−２、通信部１７、記憶部１８−２、第１、第２、第３及び第４読取部１１−２，１２−２，１３−２，１４−２等を備えている。
【００２６】
図７は、表示部及び読取部を説明する図である。図７（ａ）は、表示面を説明する図、図７（ｂ）は、読取部を説明する図である。
図７（ａ）に示すように、表示部１６−２は、広告情報を表示面１６４ｆに表示する。広告情報は、ＩＣタグ２０を翳す位置を示す入力位置情報Ｄｐ１，Ｄｐ２，Ｄｐ３，Ｄｐ４及び利用者２が指示できる選択肢を示す選択肢情報Ｄｓ１，Ｄｓ２，Ｄｓ３，Ｄｓ４等を含んでいる。入力位置情報Ｄｐ１，Ｄｐ２，Ｄｐ３，Ｄｐ４及び選択肢情報Ｄｓ１，Ｄｓ２，Ｄｓ３，Ｄｓ４は、アンテナ部１１２−２，１２２−２，１３２−２，１４２−２と対向する表示面１６４ｆの領域である、第１、第２、第３及び第４領域１６４ｆ−１，１６４ｆ−２，１６４ｆ−３，１６４ｆ−４に表示される［後述する図７（ｂ）参照］。広告情報の内容は、設置場所、時間帯等によって異なり、制御部１５−２及び装置管理サーバ３０によって制御され、チケットが売り切れた場合には、内容が書き換えられる（ＳＯＬＤ  ＯＵＴ）。
【００２７】
図７（ｂ）に示すように、第１、第２、第３及び第４読取部１１−２，１２−２，１３−２，１４−２の第１アンテナ１１２ａ−２，１２２ａ−２，１３２ａ−２，１４２ａ−２は、アンテナシート１６５の表面１６５ｆに、第２アンテナ１１２ｂ−２，１２２ｂ−２，１３２ｂ−２，１４２ｂ−２は、裏面１６５ｂにそれぞれ対向し、領域的な偏りがないように均等に配置され、形成されている。アンテナシート１６５及びアンテナ部１１２−２，１２２−２，１３２−２，１４２−２は、電極板を構成する。
【００２８】
図７（ａ）に示すように第１読取部１１−２は、アンテナ部１１２−２に相対する表示面１６４ｆの領域である第１領域１６４ｆ−１近傍に表示される選択肢情報Ｄｓ１を指示する意志（○月○日に札幌で行われるコンサートチケットの予約を指示する意志）を有する利用者２が、同じく第１領域１６４ｆ−１に表示される入力位置情報Ｄｐ１に基づき、第１領域１６４ｆ−１から一定距離内にＩＣタグ２０を近づけることによって、アンテナ部１１２−２からタグ情報を入力する。第２、第３及び第４読取部１２−２，１３−２，１４−２も同様にタグ情報の入力を行う。
尚、アンテナ部１１２−２，１２２−２，１３２−２，１４２−２は、指示意志のない利用者２が誤って入力、また、指示意志のない選択肢情報を誤って指示することがないように通信距離及び相互間の距離が設定されている。例えば、アンテナ部１１２−２，１２２−２，１３２−２，１４２−２相互間の距離は、同時に２つの読取部からタグ情報を入力しないように通信距離の２倍の距離よりも長く設定されている。
【００２９】
図６に示すように、記憶部１８−２は、装置管理サーバ３０から受信し、表示部１６−２へ表示する広告情報と、利用者２が指示した情報である指示情報を検知するためのアプリケーション等、各種プログラム等を記憶している。
制御部１５−２は、表示部１６−２、通信部１７、記憶部１８−２、第１、第２、第３及び第４読取部１１−２，１２−２，１３−２，１４−２等に接続され、各部を統括制御する。また、制御部１５−２は、ＩＣタグ２０からタグ情報を入力したアンテナ部１１２−２，１２２−２，１３２−２，１４２−２の表示面１６４ｆに対する位置及び表示している広告情報等に基づいて指示情報を検知する。
【００３０】
装置管理サーバ３０は、制御部３１、通信部３２及び記憶部３３等を備え、通信回線５０を介して表示・入力装置１０−２と通信を行い、表示・入力装置１０−２を管理している。
記憶部３３は、広告情報ＤＢデータベース３３１、登録管理ＤＢ３３２及び履歴ＤＢ３３３等を備えている。広告情報ＤＢ３３１は、表示・入力装置１０−２が表示する広告情報と、指示情報を検知するアプリケーション等を格納し、管理している。広告情報は、装置管理サーバ３０がチケット販売管理サーバ４０と通信を行うことによって書き換えられている［図７（ｂ）「ＳＯＬＤ  ＯＵＴ」参照］。装置管理サーバ３０は、広告情報ＤＢ３３１に格納されている広告情報等を表示・入力装置１０−２に時間帯別に送信することによって、各表示・入力装置別、時間帯別に表示する広告情報を管理している。
【００３１】
登録管理ＤＢ３３２は、利用者２の氏名、住所、電話番号、電子メールアドレス、利用者２が指定した予約通知の方式等を、利用者ＩＤに結び付けて記憶している。これらの情報は、利用者２が利用者登録を行った場合に、登録管理ＤＢ３３２へ格納される。履歴ＤＢ３３３は、利用者２が行った商品等の予約、購入等、利用者２がこの商取引システム１に対して行った商取引行為を行為の日付に結び付けて記憶している。
【００３２】
携帯端末２５は、電子メールアドレスが設定され、通信回線５０に接続可能であり、装置管理サーバ３０と通信可能な携帯電話である。尚、装置管理サーバ３０と通信可能なパソコン、携帯電話、ＰＨＳ、ＰＤＡ等であってもよい。
【００３３】
図８は、本発明による表示・入力装置及び透明電極板の第２実施形態を示すフローチャートである。
表示・入力装置１０−２、装置管理サーバ３０及び携帯端末２５の処理を中心に説明する。
【００３４】
表示・入力装置１０−２は、装置管理サーバ３０から受信し、記憶部１８−２に格納されている広告情報を表示部１６−２に表示している（Ｓ２０１）。
利用者２は、この表示部１６−２に表示された○○コンサートの広告によって、チケットの購買意欲が喚起され、○月○日の札幌でのコンサートチケット予約を決断する。また、このコンサートの広告には、「このコンサートのチケットの予約を希望される方は、会員証（ＩＣタグ２０）を希望される日付表示に近づけてください。」等の手続きを説明する手続き情報も含まれている。
利用者２は、説明に従って指示する選択肢情報にＩＣタグ２０を近づけ、指示された選択肢情報が表示されている第１領域１６４ｆ−１の裏側にアンテナ１１２−２を備える第１読取部１１−２は、ＩＣタグ２０と通信を行うことによって、タグ情報を表示・入力装置１０−２へ入力する（Ｓ２０２）。
【００３５】
制御部１５−２は、タグ情報が入力されると、入力をおこなった第１読取部１１−２及び入力時に表示部１６−２に表示されていた広告情報から、利用者２が指示した情報（○月○日札幌での○○コンサートチケット予約要請）である指示情報を検知する（Ｓ２０３）。制御部１５−２は、この指示情報と、表示・入力装置１０−２を識別する装置ＩＤとをタグ情報に結び付け、通信部１７から装置管理サーバ３０へ送信する（Ｓ２０４）。
【００３６】
装置管理サーバ３０は、指示情報、装置ＩＤ及びタグ情報を通信部３２から受信し（Ｓ３０１）、タグ情報に含まれる利用者ＩＤを登録管理ＤＢ３３２で照合することによってＩＣタグ２０が有効なものであるか否かの認証を行う（Ｓ３０２）。装置管理サーバ３０は、指示情報に基づいてチケットの販売等を管理するチケット管理サーバ４０と通信を行う等、予約処理を行うことによって、チケット管理サーバ４０へ予約登録を行う（Ｓ３０３）。装置管理サーバ３０は、Ｓ３０１において受信した指示情報、装置ＩＤ及びタグ情報と、受信した日時とを結び付け、履歴ＤＢ３３３へ登録する。装置管理サーバ３０は、利用者ＩＤを登録管理ＤＢで照合することによって指定連絡先である携帯端末２５の電子メールアドレスを読み出し、通信部３２からチケット予約を行った旨を通知する予約通知の電子メールを送信し（Ｓ３０４）、通知を行った日時を履歴ＤＢ３３３へ登録する。
【００３７】
利用者２は、携帯端末２５で予約通知の電子メールを受信し（Ｓ４０１）、内容を確認した後（Ｓ４０２）、内容を確認した旨を通知する予約確認の電子メールを装置管理サーバ３０へ返送し（Ｓ４０３）、処理を終了する（Ｓ４０４）。装置管理サーバ３０は、このメールを受信し（Ｓ３０５）、処理を終了する（Ｓ３０６）。
一方、利用者は、予約内容に誤りがある場合、予約意志がなくなった場合には、予約を取り消す旨を通知する予約取り消しの電子メールを装置管理サーバ３０へ返送する（Ｓ４０３）。
【００３８】
このように第２実施形態によれば、第１実施形態と同様の効果に加え、表示・入力装置１０−２は、広告情報を表示するとともに、チケットの予約受付を行い、利用者２は、予約意志が生じたその場で選択し、予約を行うことができるため、販促効果の向上、利用者２の利便性の向上を図るとともに、履歴ＤＢ３３３に記録された情報を解析することによって販促効果を測定することが可能となった。
【００３９】
（変形形態）
以上説明した実施形態に限定されることなく、種々の変形や変更が可能であって、それらも本発明の均等の範囲内である。
例えば、各実施形態において、アンテナ部１１２，１１２−２，１２２−２，１３２−２，１４２−２は、図９（ａ）に示すように、一辺から対向する一辺にむけてグラデーションとなる同形状の第１及び第２アンテナ１１２ａ−３，１１２ｂ−３であってもよい。また、図９（ｂ）に示すように、網点面積率が段階的に変化するグラデーションとなる第１及び第２アンテナ１１２ａ−４，１１２ｂ−４であってもよい。
更に、図１０に示すように円形であって外縁にむけて網点面積率が変化するグラデーションとなるように形成されている第１及び第２のアンテナ１１２ａ−５，１１２ｂ−５であってもよい。
【００４０】
各実施形態において、アンテナ部１１２，１１２−２，１２２−２，１３２−２，１４２−２は、表示部１６，１６−２のアンテナシート１６５に形成したが、レンチキュラーレンズシート１６４の表面である表示面１６４ｆ、裏面１６４ｂ、フレネルレンズシート１６３の表面１６３ｆ又は裏面１６３ｂ等、表示面１６４ｆに近接する平行面のうち、いずれか異なる２つの面に形成してもよい［図２（ａ）の２点鎖線参照］。また、シート内にアンテナシート１６５を設け、アンテナ部１１２，１１２−２，１２２−２，１３２−２，１４２−２を形成してもよい。
【００４１】
各実施形態において、静電結合方式によって通信を行うＩＣタグ２０から表示・入力装置１０，１０−２へタグ情報を入力するが、電磁誘導方式によって通信を行うＩＣタグであってもよい。また、このＩＣタグを組み込んだＩＣカード、携帯電話、ＰＨＳ、ＰＤＡ等や、特定周波数の質問電波を受信したときに、識別情報を含む応答電波を送信する非接触識別タグであってもよい。
また、ＩＣタグ２０は、電源を備えているアクティブタイプでも、外部から駆動電力を得るパッシブタイプであってもよい。尚、パッシブタイプのＩＣタグ２０はアクティブタイプよりかなり小さく軽い上に、価格も安く実質的に寿命の制限がないため、利用者２に対して送付し、使用させるのに都合がよい。
【００４２】
各実施形態において、表示・入力装置１０，１０−２は、ＩＣタグ２０から情報を読み取っていること及び／又は読み取ったことを利用者２に通知する読取通知部を備えていてもよい。読取通知部は、ランプ等視覚的又はブザー等聴覚的に利用者２に通知を行う。また、表示部１６，１６−２が表示する広告情報によって通知を行ってもよい。
タグ情報を読み取る確実性を向上させるとともに、利用者２に安心感を与えることが可能である。
【００４３】
第１実施形態において、属性情報に広告情報を結び付けて管理する広告情報管理ＤＢ及び利用者ＩＤに属性情報を結び付けて管理する登録管理ＤＢを有する装置管理サーバを備え、表示・入力装置１０は、ＩＣタグ２０から入力した利用者ＩＤを含むタグ情報を装置管理サーバへ送信し、対応する広告情報を受信することによって広告情報を表示部１６に表示してもよい。
【００４４】
第２実施形態において、表示・入力装置１０−２は、第１から第４の４つの読取部１１−２，１２−２，１３−２，１４−２を備えているが、２、３又は５以上の読取部を備えていてもよい。読取部の設置個数は、表示部１６−２に表示する広告情報の内容、表示面１６４ｆのサイズ、利用者２の利便性等を考慮し、定められる。
【００４５】
また、表示・入力装置１０−２は、アンテナ部１１２−２，１２２−２，１３２−２，１４２−２と対向する表示面１６４ｆの第１、第２、第３又は第４領域１６４ｆ−１，１６４ｆ−２，１６４ｆ−３，１６４ｆ−４に利用者２がＩＣタグ２０を通信距離内に近づけることによってタグ情報を入力するが、アンテナ部を多数設置し、例えば、図１１に示すように、表示面１６４ｆの任意の領域にＩＣタグ２０を近づけることによってタグ情報を入力してもよい。入力位置情報による広告情報の内容への制限を低減させることが可能である。
尚、この場合には、アンテナ部１１２−２，１２２−２，１３２−２，１４２−２相互間の距離は、通信距離よりも短くてもよい。タグ情報を入力した複数のアンテナ部が設置されている位置から指示情報を認識することが可能である。
【００４６】
第２実施形態において、装置管理サーバ３０の広告情報ＤＢ３３１は、広告情報に属性情報を結び付けて記憶し、表示・入力装置１０は、ＩＣタグ２０から入力した利用者ＩＤを装置管理サーバ３０へ送信し、対応する広告情報を受信し、表示部１６−２へ表示してもよい。第１実施形態と同様の効果を得ることが可能である。
【００４７】
第２実施形態において、表示・入力装置１０−２は、表示部１６−２に静止画の情報である広告情報を表示するが、動画、又は、静止画及び動画を表示してもよい。
また、各実施形態において、表示・入力装置１０，１０−２は、音声出力部を備え、広告情報に音声情報を含んでいてもよい。
【００４８】
第２実施形態において、表示・入力装置１０−２は、利用者２からチケットの予約受付を行うが、販売受付、カタログ、試供品、カタログ等、広告の掲載主の業務に寄与するその他の商品等の取引受付を行ってもよい。
【００４９】
第２実施形態において、装置管理サーバ３０又はチケット販売管理サーバ４０は、携帯端末２５と通信を行うことによってチケット料金の精算等を行ってもよい。
【００５０】
第２実施形態において、表示・入力装置１０−２は、広告情報ＤＢ３３１を備える等、装置管理サーバ３０の機能の一部又は全部を有していてもよい。また、装置管理サーバ３０は、チケット販売を管理してもよい。
【００５１】
【発明の効果】
以上詳しく説明したように、本発明によれば、以下のような効果がある。
（１）第１及び第２のアンテナ（電極）は、対応する部分での透過率の積が略一様となるように対向する面に設けられているため、アンテナ（電極）が表示に与える影響を低減させることが可能となった。また、異なる２つの面上に設けられている第１及び第２のアンテナを備えるため、通信精度を向上させることが可能となった。更に、指示された情報の検知、及び／又は、表示手段が表示する情報の特定を行う情報処理手段を備えるため、表示面に表示している情報を検知することによって、利便性の向上を図り、表示による効果、例えば販促効果を向上させることが可能となった。
【００５２】
（２）第１及び第２のアンテナ（電極）は、対向する部分が逆のグラデーションで形成されているため、第１及び第２のアンテナ（電極）の位置ずれの許容量を増大することが可能となった。また、請求項７の発明によれば、特に、通信精度を一層向上させることが可能となった。
【００５３】
（３）第１及び第２のアンテナは、プロジェクションディスプレイのレンチキュラーレンズシートの表面等に設けられているため、アンテナが表示に与える影響を一層低減させることが可能となった。
【図面の簡単な説明】
【図１】本発明による表示・入力装置及び透明電極板の第１実施形態を示すブロック図である。
【図２】本発明による表示・入力装置及び透明電極板の第１実施形態における表示部及び読取部を説明する図である。
【図３】本発明による表示・入力装置及び透明電極板の第１実施形態におけるアンテナ部を説明する図である。
【図４】ＩＣタグを説明する図である。
【図５】本発明による表示・入力装置及び透明電極板の第１実施形態を示すフローチャートである。
【図６】本発明による表示・入力装置及び透明電極板の第２実施形態を示すブロック図である。
【図７】本発明による表示・入力装置及び透明電極板の第２実施形態における表示部及び読取部を説明する図である。
【図８】本発明による表示・入力装置及び透明電極板の第２実施形態を示すフローチャートである。
【図９】本発明による表示・入力装置及び透明電極板の変形形態を説明する図である。
【図１０】本発明による表示・入力装置及び透明電極板の変形形態を説明する図である。
【図１１】本発明による表示・入力装置及び透明電極板の変形形態を説明する図である。
【図１２】本件出願人が提案している表示・入力装置を説明する図である。
【符号の説明】
２  利用者
１０，１０−２  表示・入力装置
１１，１１−２，１２−２，１３−２，１４−２  読取部
１５，１５−２  制御部
１６，１６−２  表示部
１７  通信部
１８，１８−２  記憶部
２０  ＩＣタグ
２５  携帯端末
３０  装置管理サーバ
４０  チケット販売管理サーバ
５０  通信回線
１１２，１１２−２，１２２−２，１３２−２，１４２−２，１１２−３，１１２−４，１１２−５  アンテナ部
１６４ｆ  表示面
１６５  アンテナシート
【図１】
0004076791.tif 000002
【図２】
0004076791.tif 000003
【図３】
0004076791.tif 000004
【図４】
0004076791.tif 000005
【図５】
0004076791.tif 000006
【図６】
0004076791.tif 000007
【図７】
0004076791.tif 000008
【図８】
0004076791.tif 000009
【図９】
0004076791.tif 000010
【図１０】
0004076791.tif 000011
【図１１】
0004076791.tif 000012
【図１２】
0004076791.tif 000013